(57)【特許請求の範囲】
【請求項１】
内部に空気流が通過する経路が形成されるケースと、該ケースの排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、
前記空気流は、前記ケースに設けられた開口部から前記ケース内に送り込まれ、加熱量の大きい第1の経路を通過する再生空気と加熱量の小さい第２の経路を通過する再生空気とに分けて排出され、
前記第１の経路は、前記ケース内に送り込まれた前記空気流が、下流側で前記排出部より前記加熱用ヒーターを介して排出される経路であり、前記第２の経路は、前記ケース内に送り込まれた前記空気流が、上流側で前記排出部より前記加熱用ヒーターを介することなく排出される経路であることを特徴とする回転式除湿材への再生空気加熱装置。
【請求項２】
複数の貫通穴が付与された金属板を支持し、内部に空気流が通過する経路が形成されるケースと、該ケースの排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、
前記空気流は、前記ケースに設けられた開口部から前記ケース内に送り込まれ、加熱量の大きい第1の経路を通過する再生空気と加熱量の小さい第２の経路を通過する再生空気とに分けて排出され、
前記ケース内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめたことを特徴とする回転式除湿材への再生空気加熱装置。
【請求項３】
加熱用ヒーターからの輻射熱を反射させる遮熱板を支持し、内部に空気流が通過する経路が形成されるケースと、該ケースの前記空気流の排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、
前記空気流は、前記ケースに設けられた開口部から前記ケース内に送り込まれ、加熱量の大きい第1の経路を通過する再生空気と加熱量の小さい第２の経路を通過する再生空気とに分けて排出され、
前記加熱用ヒーターは、前記空気流の送風方向に沿って複数段に配置されかつそれぞれを選択的に通電する通電手段が付与され、
前記遮熱板は、前記加熱用ヒーターと前記ケースとの間に介在され、
前記ケース内に送り込まれた前記空気流が、上流側の前記排出部より前記加熱用ヒーターを介することなく前記回転式除湿材に対して排出される経路を、前記第２の経路に、下流側の前記排出部より前記加熱用ヒーターを介して前記回転式除湿材に対して排出される経路を、前記第１の経路に、それぞれ対応せしめたことを特徴とする回転式除湿材への再生空気加熱装置。
【請求項４】
複数の貫通穴が付与された金属板を支持し、内部に空気流が通過する経路が形成されるケースと、該ケースの前記排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、
前記空気流は、前記ケースに設けられた開口部から前記ケース内に送り込まれ、加熱量の大きい第1の経路を通過する再生空気と加熱量の小さい第２の経路を通過する再生空気とに分けて排出され、
前記加熱用ヒーターは、前記空気流の送風方向に沿って複数段に配置されかつそれぞれを選択的に通電する通電手段が付与されると共に輻射熱を前記回転式除湿材へ反射する遮熱構造が設けられ、
前記ケース内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめたことを特徴とする回転式除湿材への再生空気加熱装置。
【請求項５】
加熱量の小さい第２の経路は、加熱用ヒーターが存在しない経路である請求項１乃至請求項３のいずれかに記載の回転式除湿材への再生空気加熱装置。
【請求項６】
加熱用ヒーターからの輻射熱を反射させる遮熱板を支持し、内部に空気流が通過する経路が形成されるケースと、該ケースの前記空気流の排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、
前記空気流は、前記ケースに設けられた開口部から前記ケース内に送り込まれ、加熱量の大きい第1の経路を通過する再生空気と加熱量の小さい第２の経路を通過する再生空気とに分けて排出され、
前記遮熱板は、前記加熱用ヒーターと前記ケースとの間に介在され、
前記ケース内に送り込まれた前記空気流が、上流側の前記排出部より前記加熱用ヒーターを介することなく前記回転式除湿材に対して排出される経路を、前記第２の経路に、下流側の前記排出部より前記加熱用ヒーターを介して前記回転式除湿材に対して排出される経路を、前記第１の経路に、それぞれ対応せしめたことを特徴とする回転式除湿材への再生空気加熱装置。
【請求項７】
吸湿機能を有する回転式除湿材と、吸湿した回転式除湿材を再生する空気流を形成する再生ファンと、該空気流を加熱して吸湿した回転式除湿材に吹きかける再生空気加熱装置と、を備え、該再生空気加熱装置は、前記空気流が送り込まれる開口部、前記空気流が通過する経路及び前記空気流が排出される排出部が形成されたケース並びに該ケースの該排出部近辺に配置される加熱用ヒーターを具備してなり、吸湿した回転式除湿材から水分を取り出して該回転式除湿材を再生する再生空気加熱装置を備えた除湿機において、
前記再生空気加熱装置の前記開口部は、前記排出部に対して前記ケースの側部に形成され、
前記空気流は、前記開口部から前記ケース内に送り込まれた後、加熱量の大きい第１の経路を通過する再生空気と加熱量の小さい第２の経路を通過する再生空気とに分けて排出され、
前記再生空気加熱装置内に送り込まれた前記空気流が、上流側の前記排出部から前記加熱用ヒーターを介することなく前記回転式除湿材に対して排出される経路を、前記第２の経路に、下流側の前記排出部から前記加熱用ヒーターを介して前記回転式除湿材に対して排出される経路を、前記第１の経路に、それぞれ対応せしめたことを特徴とする再生空気加熱装置を備えた除湿機。
【請求項８】
吸湿機能を有する回転式除湿材と、吸湿した回転式除湿材を再生する空気流を形成する再生ファンと、該空気流を加熱して吸湿した回転式除湿材に吹きかける再生空気加熱装置と、を備え、該再生空気加熱装置は、前記空気流が送り込まれる開口部、前記空気流が通過する経路及び前記空気流が排出される排出部が形成されると共に複数の貫通穴が付与された金属板を支持するケース並びに前記排出部近辺に配置される加熱用ヒーターを具備してなり、吸湿した回転式除湿材から水分を取り出して該回転式除湿材を再生する再生空気加熱装置を備えた除湿機において、
前記再生空気加熱装置の前記開口部は、前記排出部に対して前記ケースの側部に形成され、
前記空気流は、前記開口部から前記ケース内に送り込まれた後、加熱量の大きい第1の経路を通過する再生空気と加熱量の小さい第２の経路を通過する再生空気とに分けて排出され、
前記再生空気加熱装置内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめたことを特徴とする再生空気加熱装置を備えた除湿機。
【発明の詳細な説明】
【０００１】
【発明の属する技術分野】
本発明は、回転式除湿材を備えた除湿機の回転式除湿材への再生空気加熱装置に関するものである。
【０００２】
【従来の技術】
従来の回転式除湿材への再生空気加熱装置（再生空気加熱部構造）が使用される回転式除湿材を備えた除湿機の構成についてまず説明する。
【０００３】
図１３は除湿機の全体構成説明図である。除湿ローター３１は平面シートに片波成形体を巻回したハニカムローターの表面や内部にゼオライト（吸湿剤）を担持させたもので、ゼオライトには潮解現象がなく、結晶質で安定した細孔構造を持ち、水分吸着に対して劣化が少なく、長期間安定した吸湿作用を有する。
【０００４】
被除湿空気３２は除湿ファン４５に吸引され、フィルター３３で粗いゴミを取り去り、凝縮器３４を通過し、後述のように、暖かく湿った凝縮器内部の再生空気を冷却し、再生空気中の水分を結露させる。凝縮器３４を通過した被除湿空気３２は除湿ローター３１を通過し、吸湿剤に吸湿させ、乾燥空気３６となり、熱回収熱交換器３５にて熱回収後、室内に放出される。
【０００５】
吸湿した除湿ローター３１の吸湿剤を再生させるため、再生ヒーターである加熱部９にて再生空気を２００°Ｃ〜２５０°Ｃに加熱した後、除湿ローター３１に再生ファン３８により送風する。加熱された再生空気は除湿ローター３１の吸湿剤から水分を受け取り、暖かく湿った空気となり、凝縮器３４にて冷却され、水分を結露させて排出する。結露水３９は水受タンク４０に導かれる。水受タンク４０には水位を検知するフロートスイッチを備え、所定の水位を検知すると、備えられている揚水ポンプ４１を運転し、揚水チューブ５８を経て貯水タンク４２に結露水３９を蓄える。
【０００６】
除湿ローター３１は駆動モーター（図示せず）で回転されており、被除湿空気３２が通過する除湿部４６と加熱された熱風が通過する再生部４７は少しづつ回転移動しており、吸湿してもまた再生され、連続的に使用可能である。
【０００７】
除湿ローター３１に加熱された熱風が通過し少しづつ回転移動するため、除湿ローター３１は暖められている。ここに被除湿空気３２が通過するため、通過後の暖められた乾燥空気３６で、熱回収熱交換器３５に熱を回収する。熱回収熱交換器３５の内部には凝縮器３４で結露水３９を排出した後の再生空気が通過し、暖められた分だけ、再生ヒーターである加熱部９の電力を節約できる。再生空気は上記のように、閉回路になって、繰り返し使用されている。
【０００８】
【発明が解決しようとする課題】
上記従来の構成のものであれば、加熱装置の加熱にては除湿ローターに対して均一な熱風温度にならずバラツキがあったためその加熱温度の低い処では効率よく水分を取り出すことはできなかった。
【０００９】
【課題を解決するための手段】
本発明の回転式除湿材への再生空気加熱装置は、回転式除湿材から吸湿された水分を効率良く取り出すことにより上記課題を解決するために、内部に空気流が通過する経路が形成されるケースと、該ケースの排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、前記空気流は、前記ケースに設けられた開口部から前記ケース内に送り込まれ、加熱量の大きい第1の経路を通過する再生空気と加熱量の小さい第２の経路を通過する再生空気とに分けて排出され、前記第１の経路は、前記ケース内に送り込まれた前記空気流が、下流側で前記排出部より前記加熱用ヒーターを介して排出される経路であり、前記第２の経路は、前記ケース内に送り込まれた前記空気流が、上流側で前記排出部より前記加熱用ヒーターを介することなく排出される経路であることを特徴とするものである。
【００１０】
また、本発明の回転式除湿材への再生空気加熱装置は、複数の貫通穴が付与された金属板を支持し、内部に空気流が通過する経路が形成されるケースと、該ケースの排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、前記空気流は、前記ケースに設けられた開口部から前記ケース内に送り込まれ、加熱量の大きい第1の経路を通過する再生空気と加熱量の小さい第２の経路を通過する再生空気とに分けて排出され、前記ケース内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめる構成としたものである。
【００１１】
また、本発明の回転式除湿材への再生空気加熱装置は、加熱用ヒーターからの輻射熱を反射させる遮熱板を支持し、内部に空気流が通過する経路が形成されるケースと、該ケースの前記空気流の排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、前記空気流は、前記ケースに設けられた開口部から前記ケース内に送り込まれ、加熱量の大きい第1の経路を通過する再生空気と加熱量の小さい第２の経路を通過する再生空気とに分けて排出され、前記加熱用ヒーターは、前記空気流の送風方向に沿って複数段に配置されかつそれぞれを選択的に通電する通電手段が付与され、前記遮熱板は、前記加熱用ヒーターと前記ケースとの間に介在され、
前記ケース内に送り込まれた前記空気流が、上流側の前記排出部より前記加熱用ヒーターを介することなく前記回転式除湿材に対して排出される経路を、前記第２の経路に、下流側の前記排出部より前記加熱用ヒーターを介して前記回転式除湿材に対して排出される経路を、前記第１の経路に、それぞれ対応せしめる構成としたものである。
【００１２】
また、本発明の回転式除湿材への再生空気加熱装置は、複数の貫通穴が付与された金属板を支持し、内部に空気流が通過する経路が形成されるケースと、該ケースの前記排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、前記空気流は、前記ケースに設けられた開口部から前記ケース内に送り込まれ、加熱量の大きい第1の経路を通過する再生空気と加熱量の小さい第２の経路を通過する再生空気とに分けて排出され、前記加熱用ヒーターは、前記空気流の送風方向に沿って複数段に配置されかつそれぞれを選択的に通電する通電手段が付与されると共に輻射熱を前記回転式除湿材へ反射する遮熱構造が設けられ、前記ケース内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめる構成としたものである。
【００１３】
また、本発明の加熱量の小さい第２の経路は、加熱用ヒーターが存在しない経路とすることができる。
【００１４】
また、本発明の加熱用ヒーターは、加熱用ヒーターからの輻射熱を反射させる遮熱板を支持し、内部に空気流が通過する経路が形成されるケースと、該ケースの前記空気流の排出部近辺に配置される加熱用ヒーターと、を備え、吸湿した回転式除湿材に対し、加熱された再生空気を吹きかけ、該回転式除湿材から水分を取り出して該回転式除湿材を再生する再生空気加熱装置において、前記空気流は、前記ケースに設けられた開口部から前記ケース内に送り込まれ、加熱量の大きい第1の経路を通過する再生空気と加熱量の小さい第２の経路を通過する再生空気とに分けて排出され、前記遮熱板は、前記加熱用ヒーターと前記ケースとの間に介在され、前記ケース内に送り込まれた前記空気流が、上流側の前記排出部より前記加熱用ヒーターを介することなく前記回転式除湿材に対して排出される経路を、前記第２の経路に、下流側の前記排出部より前記加熱用ヒーターを介して前記回転式除湿材に対して排出される経路を、前記第１の経路に、それぞれ対応せしめる構成としものである。
【００１５】
また、本発明の上記再生空気加熱装置を備えた除湿機は、吸湿機能を有する回転式除湿材と、吸湿した回転式除湿材を再生する空気流を形成する再生ファンと、該空気流を加熱して吸湿した回転式除湿材に吹きかける再生空気加熱装置と、を備え、該再生空気加熱装置は、前記空気流が送り込まれる開口部、前記空気流が通過する経路及び前記空気流が排出される排出部が形成されたケース並びに該ケースの該排出部近辺に配置される加熱用ヒーターを具備してなり、吸湿した回転式除湿材から水分を取り出して該回転式除湿材を再生する再生空気加熱装置を備えた除湿機において、前記再生空気加熱装置の前記開口部は、前記排出部に対して前記ケースの側部に形成され、前記空気流は、前記開口部から前記ケース内に送り込まれた後、加熱量の大きい第１の経路を通過する再生空気と加熱量の小さい第２の経路を通過する再生空気とに分けて排出され、前記再生空気加熱装置内に送り込まれた前記空気流が、上流側の前記排出部から前記加熱用ヒーターを介することなく前記回転式除湿材に対して排出される経路を、前記第２の経路に、下流側の前記排出部から前記加熱用ヒーターを介して前記回転式除湿材に対して排出される経路を、前記第１の経路に、それぞれ対応せしめる構成としたものである。ケース内に送り込まれた空気は略９０度送風方向を変更するため、メインとなる第１の経路の送風量が、サブとなる第２の経路の送風量より大きくなるようにするのが好ましい。
【００１６】
また、本発明の上記再生空気加熱装置を備えた除湿機は、吸湿機能を有する回転式除湿材と、吸湿した回転式除湿材を再生する空気流を形成する再生ファンと、該空気流を加熱して吸湿した回転式除湿材に吹きかける再生空気加熱装置と、を備え、該再生空気加熱装置は、前記空気流が送り込まれる開口部、前記空気流が通過する経路及び前記空気流が排出される排出部が形成されると共に複数の貫通穴が付与された金属板を支持するケース並びに前記排出部近辺に配置される加熱用ヒーターを具備してなり、吸湿した回転式除湿材から水分を取り出して該回転式除湿材を再生する再生空気加熱装置を備えた除湿機において、前記再生空気加熱装置の前記開口部は、前記排出部に対して前記ケースの側部に形成され、前記空気流は、前記開口部から前記ケース内に送り込まれた後、加熱量の大きい第1の経路を通過する再生空気と加熱量の小さい第２の経路を通過する再生空気とに分けて排出され、前記再生空気加熱装置内に送り込まれた前記空気流が、上流側で前記金属板に達し前記金属板の貫通穴より前記加熱用ヒーターを介することなく前記回転式除湿材に対して排出される経路を、前記第２の経路に、上流側で前記金属板の貫通穴を通過することなく下流側に送り込まれた後前記排出部より前記加熱用ヒーターを介して前記回転式除湿材に対して排出される経路を、前記第１の経路に、それぞれ対応せしめる構成としたものである。
【００１７】
本発明によれば、加熱量の大きい第１の経路を通過した熱風の再生空気が吸湿した回転式除湿材から、水分を取り出して回転式除湿材を再生すると共に、回転式除湿材が回転し、熱風が通過し、その余熱で暖まっている回転式除湿材の部分に、加熱量の小さい第２の経路を通過した再生空気が送風され、更に水分を取り出すので、効率良く回転式除湿材の再生を行うことができ、前記第１及び第２の経路の排出部の上流側に設けられた遮熱板の開口面積により、それぞれの経路の送風量を調整できる。
【００１８】
また、シロッコファン等のファンケーシングはファン軸に直交する面の面積が大きいため、再生空気加熱装置のケース側部に開口部を設け、該ケース内部に再生空気を送風する方が製品奥行（厚み）が小さくできる。
【００１９】
再生空気が送り込まれるケースの開口部に近い送風上流部はケースと遮熱板との間隔を広くし、加熱量の小さい再生空気の第２の経路とし、送風下流部はケースと遮熱板との間隔を狭くし、加熱量の大きい第１の経路とする。再生空気は略９０度送風方向を変更するため、メインとなる、第１の経路の送風量がサブとなる、第２の経路の送風量より大きくなる。
【００２０】
また、第１の経路はケースと遮熱板との間隔を狭くしているから、遮熱板の段付部分などからも通風し、加熱部から熱を奪う。また、遮熱板の開口面積により送風量を調整できる。
【００２１】
また、上記において、遮熱板はパンチング穴開け加工した金属板であるから、加熱部の輻射熱を回転式除湿材の再生部側へ反射し、パンチング穴の穴径を適当な寸法にすることで、遮熱板の開口面積を適当にして送風量を調整できる。
【００２２】
特に、遮熱板のパンチング穴径を複数種類で構成し、遮熱板の位置により、穴径を異にして、送風量を位置毎に調整でき、熱風を均一にできる。
【００２３】
加熱量の小さい第２の経路は、第１の経路の加熱量によっては、その余熱だけで十分であるから、加熱無しの経路とすることもできる。
【００２４】
加熱用ヒーター組品は、前記回転式除湿材の回転中心を中心として或る角度を為す略扇形に構成し、そのヒーター線を、前記回転中心よりの同心円と交差する角度で配設したから、回転式除湿材の回転中心近傍より、外径部近傍までヒーター線が配設され、加熱ムラがなく、均一な熱風となる。もし、回転中心よりの同心円に平行にヒーター線を配設したなら、ヒーター線のある部分と無い或いは少ない部分とでは加熱ムラができ易い。
【００２５】
更に、送風方向の上流側と下流側に複数段にヒーター線を設け、該上下段それぞれの隣り合うヒーター線を、違いに交差する角度に配設したから、さらに均一な熱風となる。もし、上下段それぞれの隣り合うヒーター線が重なる位置に配設されていたなら、加熱ムラを避け難い。
【００２６】
【発明の実施の形態】
本発明に係る回転式除湿材への再生空気加熱装置（再生空気加熱部構造）の実施の形態について、以下説明する。本発明に係る再生空気加熱装置が使用される回転式除湿材を備えた除湿機の構成については、従来の技術欄で記載したので重複部分の説明は省略し、実施の形態の説明においても、同じ部品は同じ符号を使用して、以下記載する。
【００２７】
まず、水分を吸着した吸湿剤を加熱して水分を吐き出させ、再生する再生部４７について、図７を用いて説明すると、再生部４７に送風する再生空気はそのすべてを再生ヒーターである加熱部９にて加熱した熱風とすることは必ずしも必要ではない。
【００２８】
加熱量の大きい第１の経路を通過した熱風の再生空気５２と、加熱量の小さい第２の経路を通過した再生空気５３とに再生空気を分けて除湿ローター３１の再生部４７に送風する。
【００２９】
加熱量の大きい第１の経路を通過した熱風の再生空気５２が通過した再生部４９は暖められている。除湿ローター３１は回転しているから、次には暖められている除湿ローター３１の再生部４９に、加熱量の小さい第２の経路を通過した再生空気５３が、通過しても、余熱を有効に利用して、更に水分を取り出し再生させることができる。
【００３０】
加熱量の小さい第２の経路は、第１の経路の加熱量によっては、その余熱だけで十分であるから、加熱無しの経路とすることもできる。
【００３１】
図１は本発明実施の形態に係る再生空気加熱装置周辺の構成斜視図であり、図１において、吸湿剤を担持した除湿ローター３１、この除湿ローター３１の再生部４７に再生空気を送るシロッコファンケーシング１、モータ２を備えた再生ファン３８を熱回収熱交換器３５に取り付け、これらを仕切り板３に固定する。再生空気加熱部構造４は除湿ローター３１の再生部４７に対応する部分の仕切り板３に係止されており、再生空気加熱装置（再生空気加熱部構造）４のケース５は再生ファン３８により送風される再生空気を除湿ローター３１の再生部４７に導く送風ダクトの役割をもっている。
【００３２】
除湿ローター３１の再生部４７を通過した再生空気を集め、冷却して結露させ、水分を取り除く凝縮器３４に送り込む送風ダクト構造を、除湿ローター３１の再生部４７に対応する部分で、再生空気加熱装置４の反対側に設けた、不図示の再生ボックス４４で果たしている。
【００３３】
なお、仕切り板３と再生ボックス４４とで除湿ローター３１を両側から挟み込み、仕切り板３の中央部の軸に、除湿ローター３１を軸支している。除湿ローター３１を回転駆動する駆動モーター４８は再生ボックス４４に取り付けられる。除湿ローター３１の外周には歯車を設け、この歯車と噛み合うプーリーで駆動モーター４８のギアで減速された回転軸からの動力で除湿ローターはゆっくりと回転する。被除湿空気３２が通過する除湿部４６と加熱された熱風が通過する再生部４７は少しづつ回転移動しており、吸湿してもまた再生され、連続的に使用可能である。
【００３４】
なお、仕切り板３、再生ボックス４４は共に、カルプ入りのポリプロピレン耐熱樹脂成型品である。軸支される除湿ローター３１に対応する仕切り板３の部分は空気が流れるように、骨組みのみで残りは開口部分としている。
【００３５】
図２に再生空気加熱装置４を除湿ローター３１の再生部４７に対応する部分から見た平面図を、図３に図２のＡ−Ａ断面図を示している。実施の形態においては、加熱量の大きい第１の経路を加熱部９を通過する経路とし、加熱量の小さい第２の経路を加熱無しの経路即ち、加熱部９を通過しない経路としている。
【００３６】
図２、図３において、ケース５の開口部６より送風される再生空気はその送風方向を略９０度曲げられて図３に矢視Ｂの如く、パンチング穴８の開けられた遮熱板７を通過して排出される、加熱部９を経由しない第２の経路と、矢視Ｃの如く、パンチング穴８の開けられた遮熱板７を通過した後、加熱部９を通過し熱風となって排出される、加熱部９を経由する第１の経路とに分けて除湿ローター３１の再生部４７に送風される。
【００３７】
ケース５の開口部６より送風される再生空気はパンチング穴８の開けられた遮熱板７の段付部１０やケース５の内壁にぶつかり、その送風方向を略９０度曲げられるが、どうしても障害物にぶつかるまでは直進しようとするため、図３にて矢示Ｂの如く、パンチング穴８の開けられた遮熱板７を通過して送風される加熱部９を経由しない第２の経路を通過する再生空気５３より、矢示Ｃの如く、パンチング穴８の開けられた遮熱板７を通過した後、加熱部９を通過し熱風となって排出される加熱部９を経由する第１の経路の再生空気５２の風量が多くなって、除湿ローター３１の再生部４７に送風される。遮熱板７の段付部１０にもパンチング穴８が開いているため、送風され、ヒーター組品１６のヒーターケース１５からも熱を奪っていく。
【００３８】
ケース５内壁と遮熱板７との間隔Ｄ、Ｅ、遮熱板７の段付部１０の段付き長さＦ、パンチング穴８の穴径大きさによる開口面積により、それぞれの経路への送風量を調整できる。なお、図２の遮熱板７にて図示のように、部分によってパンチング穴８の穴径を変え、その部分への送風風量を調整できる。
【００３９】
なお、加熱量の小さい第２の経路を加熱無しではなく、多少の加熱量の経路とするには、図３にて矢示Ｂの遮熱板７を通過して後に、多少の加熱量となる加熱部を加熱部９に準じて設けることは容易である。
【００４０】
再生空気加熱装置４の各部の構造詳細を記載しておくと、ケース５はステンレス鋼板を絞ったもので、同じくステンレス鋼板の遮熱板７の両端には複数個の突起を備え、ケース５の係合する位置に設けられている複数個の小さい長方形の穴に上記突起を挿入して、遮熱板７をケース５に固定している。
【００４１】
遮熱板７は上記のように、パンチング穴の外径を変えて、送風量の調節や遮熱板７の位置により穴径を異なる径にして送風量を位置毎に調整することができ、位置的にバラツキのある送風の是正が可能であり、均一な送風を可能とする機能の他に、金属板であることからパンチング穴以外の部分の表面は輻射熱に対する反射効果を有するので、加熱部９のヒーター線１２、１３の発熱による輻射熱を除湿ローター３１側に反射させる遮熱機能や加熱部９の熱を送風上流側に逃がす量を減らす遮熱機能がある。加熱部９の熱は再生ファン３８による送風を加熱する伝導熱の他に、輻射熱があり、この輻射熱量が大きいだけに、遮熱板７の効果は大である。
【００４２】
加熱部９の構造詳細を図４、５、６に示す。図４は除湿ローター３１の再生部４７に対応する部分から見た正面図、図５は図４を上部より見た上面図、図６は図４を側面より見た側面図である。
【００４３】
図４にて放射状に拡がる３枚の絶縁材であるマイカ板１１に、コイル状ニクロム線ヒーターであって、１００Ｖ−２００Ｗのヒーター線１２と、１００Ｖ−３００Ｗのヒーター線１３の２個のヒーター線を、上下２段に、それぞれつずら折り状に折り曲げ固定したヒーター組品１６とする。
【００４４】
以下、図８〜図１２の説明用略図を用いて、ヒーター線の配設について説明する。図８に示すように、ヒーター組品１６は除湿ローター３１の回転中心位置に対応する中心２１にて角度αの略扇形に構成される。なお、略扇形といっても、実際は図４に示すように、台形となり、該形状を含む概念である。除湿ローター３１の回転中心は回転軸であり、除湿剤は存在せず、円周部も直線で構成しても特に不具合はないからである。
【００４５】
図８にて、ヒーター線１２は前記の中心２１よりの同心円と交差する角度で配設したつづら折りとなっている。もし、図１０に示すように、同心円と略平行につづら折りされると、ヒーター線の有る同心円上とヒーター線の無い同心円上とで熱分布が不均一になる。ヒーター組品に対して除湿ローター３１はその回転中心にて回転しているからである。図８のようにヒーター線１２が同心円と交差する角度で配設してあれば、除湿ローター３１の回転中心からのどの距離の同心円上においてもヒーター線の熱が均等に届くことになる。
【００４６】
ヒーター線１３は、図９に示すように、同心円と交差する角度で、且つ、図８のヒーター線と違いに交差する角度に配設されているから、ヒーター線１２と、ヒーター線１３とを上下に配置した図４に示すヒーター組品１６では、送風方向の上流側と下流側に２段にヒーター線を設け、上下段それぞれの隣り合うヒーター線１２、１３を、違いに交差する角度に配設したから、さらに均一な熱風となる。もし、上下段それぞれの隣り合うヒーター線１２、１３が重なる位置に配設されていたなら、加熱ムラを避け難い。
【００４７】
なお、上記はつづら折りのヒーター線１２、１３の実施の形態の場合であるが、図１１、図１２に示すように、単に直線を曲げた場合であっても、それぞれのヒーター線を同心円と交差する角度で配設し、且つ、上下段それぞれの隣り合うヒーター線を、違いに交差する角度に配設し、均一な熱風となすことができる。
【００４８】
ヒーター線１２、１３は共通端子２９に１方側が接続され、他端は並列に接続されており、ヒーター線１２、１３のどちらか１方又は両方に選択的に通電可能である。つまり、２００Ｗ，３００Ｗ，５００Ｗの加熱量が選択できる。
【００４９】
台形状の幅広の底辺となるヒーターケース１４と、台形状のその他の辺となる３つ折りのヒーターケース１５とでヒーター組品１６の側部を囲っている。ヒーターケース１４、１５の内面側には絶縁のために、マイカ板２５、２６がハトメ端子３０で固定されていて、万一ヒーター線１２、１３が接触したり、絶縁距離が小さくなっても、危険でないように配慮されている。
【００５０】
ヒーターケース１４には、ヒーター組品１６の３枚のマイカ板１１の端部に設けられた突起に係合する小さな長方形の穴が、ヒーターケース１５の台形状の幅狭の上辺にあたる辺の中央部には上記３枚のマイカ板１１の他端が１カ所に集まり、設けられた突起が係合する長方形の穴が、それぞれ設けられ、これらの穴にヒーター組品１６のマイカ板１１の突起を挿入させ、ヒーターケース１４の両端の係合穴に、ヒーターケース１５端部の突起を挿入してカシメ係止している。なお、３枚のマイカ板１１は大中小３枚のマイカ板２２、２３、２４で、その相互位置を保つべく連結されている。
【００５１】
ヒーターケース１４の内面に固定のマイカ板２５には温度ヒューズ２７、サーモスタット２８が配設され、ヒーター線１２、１３の共通端子２９に直列に接続されている。万一の異常発熱の際は、このサーモスタット２８が動作してヒーター線１２、１３への通電を停止する。また、サーモスタット２８が不良となり、動作しないときは温度ヒューズ２７が動作し、ヒーター線１２、１３への通電を停止する。
【００５２】
ただし、除湿機としては、これら以外にも、適宜箇所に過熱防止のためのサーミスターを複数個配置して安全には配慮している。なお、除湿機とはいっても室温を感知するルームサーミスターを備え、室温と、別途湿度を感知するセンサーによる室内湿度とで、カビが生えると心配されるときには、カビ注意の警告表示を行っている。このルームサーミスターを用いて、被除湿空気３２の温度が所定温度になれば、除湿機全体の運転を停止する機能を備えることもできる。
【００５３】
再生空気は閉回路で連続的に使用するが、どうしても湿気を含んでおり、温度が下がると結露が心配される。そこで、ケース５、遮熱板７はステンレス鋼板を使用し、結露しても、錆びることのないように配慮している。ヒーターケース１４、１５はヒーター線１２、１３の近傍にあり、機器の運転中に低温になることはなく、アルミメッキ鋼板を使用している。
【００５４】
なお、本発明は上記実施の形態に限定されるものではない。
【００５５】
【発明の効果】
本発明に係る回転式除湿材への再生空気加熱装置は、加熱量の大きい第１の経路を通過した熱風の再生空気が吸湿した回転式除湿材から、水分を取り出してを再生すると共に、回転式除湿材が回転し、熱風が通過し、その余熱で暖まっている回転式除湿材の部分に、加熱量の小さい第２の経路を通過した再生空気が送風され、更に、水分を取り出して再生し、前記第１及び第２の経路の排出部の上流側に設けられた、遮熱板の開口面積により、それぞれの経路の送風量を調整できる。
【００５６】
また、シロッコファン等のファンケーシングはファン軸に直交する面の面積が大きいため、再生空気加熱装置のケース側部に開口部を設け、該ケース内部に再生空気を送風する方が製品奥行（厚み）が小さくできる。
【００５９】
また、上記において、遮熱板はパンチング穴開け加工した金属板であるから、加熱部の輻射熱を回転式除湿材の再生部側へ反射し、パンチング穴の穴径を適当な寸法にすることで、遮熱板の開口面積を適当にして送風量を調整できる。
【００６０】
特に、遮熱板のパンチング穴径を複数種類で構成し、遮熱板の位置により、穴径を異にして、送風量を位置毎に調整でき、熱風を均一にできる。
【００６１】
加熱量の小さい第２の経路は、第１の経路の加熱量によっては、その余熱だけで十分であるから、加熱無しの経路とすることもできる。
【００６３】
更に、送風方向の上流側と下流側に複数段にヒーター線を設け、該上下段それぞれの隣り合うヒーター線を、違いに交差する角度に配設したから、更に均一な熱風となる。
【図面の簡単な説明】
【図１】本発明の実施の形態に係る再生空気加熱装置周辺の概略構成斜視図である。
【図２】本発明の実施の形態に係る再生空気加熱装置を除湿ローターの再生部に対応する部分から見た平面図である。
【図３】図２のＡ−Ａ線の要部断面図である。
【図４】本発明の実施の形態に係る加熱部の要部正面図である。
【図５】本発明の実施の形態に係る加熱部の要部上面図である。
【図６】本発明の実施の形態に係る加熱部の要部側面図である。
【図７】本発明の実施の形態を示す加熱部を経由した熱風再生空気と加熱部を経由しない再生空気とを回転式除湿材（除湿ローター）に送風する状況説明図である。
【図８】図３のヒーター線１２の配設についての説明図である。
【図９】図３のヒーター線１３の配設についての説明図である。
【図１０】図８のヒーター線が同心円と略平行につづら折りに配設された場合の説明図である。
【図１１】本発明の他の実施の形態に係るヒーター線の配設についての説明図である。
【図１２】本発明の他の実施の形態に係るヒーター線を重ねて配設した場合の説明図である。
【図１３】従来の再生空気加熱装置が使用される回転式除湿材を備えた除湿機の全体構成説明図である。
【符号の説明】
４  再生空気加熱装置
５  ケース
６  開口部
７  遮熱板
８  パンチング穴（貫通穴）
９  加熱部
１０  段付部
１２、１３  ヒーター線
１６  ヒーター組品
３１  除湿ローター（回転式除湿材）
３５  熱回収熱交換器
３８  再生ファン
４６  除湿部
４７  再生部
５２  加熱量の大きい第１の経路を通過した再生空気
５３  加熱量の小さい第２の経路（又は加熱無しの経路）を通過した再生空気
【図１】
0003857808.tif 000002
【図２】
0003857808.tif 000003
【図３】
0003857808.tif 000004
【図４】
0003857808.tif 000005
【図５】
0003857808.tif 000006
【図６】
0003857808.tif 000007
【図７】
0003857808.tif 000008
【図８】
0003857808.tif 000009
【図９】
0003857808.tif 000010
【図１０】
0003857808.tif 000011
【図１１】
0003857808.tif 000012
【図１２】
0003857808.tif 000013
【図１３】
0003857808.tif 000014